(57)【要約】【課題】フロントケースの中央部に大きな開口部を有しながら充分な強度を保つ電子機器を提供する。【解決手段】フロントケース７と、リアケース９とを合わせてなる筐体を備える電子機器１であって、フロントケース７は開口部７１を有し、この開口部７１の背面側には補強フレーム２０が配置され、フロントケース７の開口部７１の周縁部と補強フレーム２０の外周部との対向部分には、一方に嵌合突起２１が設けられ、他方に前記嵌合突起２１が嵌合される嵌合穴７２が設けられている。【選択図】図３
2008283548.tif 000002
【特許請求の範囲】
【請求項１】
フロントケースと、リアケースとを合わせてなる筐体を備える電子機器であって、
前記フロントケースは開口部を有し、この開口部の背面側には補強フレームが配置され、
前記フロントケースの開口部の周縁部と前記補強フレームの外周部との対向部分には、一方に嵌合突起が設けられ、他方に前記嵌合突起が嵌合される嵌合穴が設けられていることを特徴とする電子機器。
【請求項２】
前記開口部にはキー操作部が設けられていることを特徴とする請求項１に記載の電子機器。
【請求項３】
前記開口部には表示部が設けられていることを特徴とする請求項１に記載の電子機器。
【発明の詳細な説明】
【技術分野】
【０００１】
本発明は、携帯電話機等の電子機器に関する。
【背景技術】
【０００２】
ユーザの使い勝手を考慮し、キーが隣り合って隙間を持たないタイルキーやシートキーからなるキー操作部を有する携帯電話機が普及してきている。
【０００３】
例えば特許文献１には、フロントケースの中央部に開口を設け、複数のキートップを備えるベースラバーを開口内に配置したキー操作部を備える携帯電話機が記載されている。これにより、タイルキーによる操作性の良さを具備しつつ、隣接するキートップの位置規正と構造的独立を実現して、キー操作による隣接キーへの影響を無くし、デザインの自由度を高めている。また、ベースラバーとキートップの間に補強フレームを設けることで、ベースラバー及びキートップのめくれも防止している。
【特許文献１】特開２００６−１４７２９２号公報
【発明の開示】
【発明が解決しようとする課題】
【０００４】
しかし、フロントケースの中央部に設ける開口が大きくなると、中央部が抜けた形状となるため、フロントケースの強度が低下する傾向にある。補強フレームがキーボタンの押下操作を受けるために設けられているが、フロントケースとリアケースに挟まっているだけであるため、落下時等フロントケースに外から力が加わった場合には、フロントケースの変形量が大きくなり、破損する恐れがある。
【０００５】
本発明の課題は、フロントケースの中央部に大きな開口部を有しながら充分な強度を保つ電子機器を提供することである。
【課題を解決するための手段】
【０００６】
以上の課題を解決するため、請求項１に記載の発明は、フロントケースと、リアケースとを合わせてなる筐体を備える電子機器であって、前記フロントケースは開口部を有し、この開口部の背面側には補強フレームが配置され、前記フロントケースの開口部の周縁部と前記補強フレームの外周部との対向部分には、一方に嵌合突起が設けられ、他方に前記嵌合突起が嵌合される嵌合穴が設けられていることを特徴とする。
【０００７】
請求項２に記載の発明は、請求項１に記載の電子機器であって、前記開口部にはキー操作部が設けられていることを特徴とする。
【０００８】
請求項３に記載の発明は、請求項１に記載の電子機器であって、前記開口部には表示部が設けられていることを特徴とする。
【発明の効果】
【０００９】
本発明によれば、フロントケースの中央部に大きな開口部を有しながら充分な強度を保つ電子機器を提供することができる。
【発明を実施するための最良の形態】
【００１０】
以下、本発明の実施の形態について詳細に説明する。図１は本発明の実施形態に係る電子機器として、携帯電話機１を示す斜視図である。携帯電話機１は、前側面にキー操作部５が設けられた本体２と、前側面に表示部６が設けられた蓋体３と、下側の本体２と上側の蓋体３とを回動可能に接続するヒンジ部４とからなる。
【００１１】
図２は本体２の斜視図であり、図３は本体２の分解斜視図である。本体２は、フロントケース７と、リアケース９と、回路基板等を備えるユニットアッシー１０と、補強フレーム２０と、キーパッド３０と、から概略構成されている。
【００１２】
フロントケース７とリアケース９とはユニットアッシー１０及び補強フレーム２０を内部に入れた状態で組み合わされ、ネジ８により止められて本体２の筐体をなす。また、フロントケース７にはキーパッド３０が配置される開口部７１が設けられている。
【００１３】
ユニットアッシー１０は、回路基板、フレーム等から概略構成されている。回路基板には、メインプロセッサ、メモリー、モデム、電源ＩＣ、アンテナ、メモリーカードスロット、インターフェイスコネクタ、イヤホンコネクタ等が設けられている。フレームは、例えばＭｇ合金等からなり、本体の強度を高めるとともに、電気的なグラウンドや電磁波シールドとしても機能する。
【００１４】
補強フレーム２０は、例えばＭｇ合金等からなり、フロントケース７の背面側であってユニットアッシー１０の前面側に配置される。補強フレーム２０の前面は平坦面となっており、この平坦面上には、図示しないキー基板が配置される。キー基板は、ドームスイッチのような可動接点と固定接点とを備えた薄型の押圧式スイッチが複数設けられたものであり、図示しないフレキシブルプリント基板等の配線によりユニットアッシー１０の回路基板と接続される。補強フレーム２０はキー押下操作を受け止め、補強フレーム２０とユーザの指との間に作用する圧縮荷重により可動接点を変形させて固定接点に当接させる役割を果たす。
【００１５】
キーパッド３０は、カーソルキー、決定キー、各種メニューキー、オフフックキー、オンフックキー、テンキー等のキー操作部５のキートップとなるものである。キーパッドの外周部はフロントケース７の外側から開口部７１の周縁部に接着される。
【００１６】
フロントケース７は、開口部７１が設けられているため、開口部７１の左右の側縁部が上下方向に細長く形成されている。このため、携帯電話機１を落下させた時等、フロントケース７に上下方向の圧縮荷重が加わった場合には、開口部７１の左右の側縁部が左右方向に変形し、破損する恐れがある。
そこで、本実施の形態においては、フロントケース７を補強するために補強フレーム２０を用いている。以下、その補強構造について説明する。
【００１７】
図４はフロントケース７の背面を示す斜視図であり、図５は図４のV部の拡大図である。また、図６は補強フレーム２０の前面を示す斜視図であり、図７は図６のVII部の拡大図である。
【００１８】
図４、図５に示すように、フロントケース７には、開口部７１の左右の側縁部に沿って上下方向に間隔を空けて、背面から前面に貫通する複数の嵌合穴７２，７２，・・・が形成されている。また、図６、図７に示すように、補強フレーム２０の前面には、複数の嵌合穴７２，７２，・・・と対応する位置に、嵌合突起２１，２１，・・・が設けられている。この複数の嵌合穴７２，７２，・・・に嵌合突起２１，２１，・・・が嵌め込まれるようにフロントケース７と補強フレーム２０とが重ね合わされている。
【００１９】
フロントケース７に上下方向の圧縮荷重が加わった場合でも、嵌合突起２１，２１，・・・が嵌合穴７２，７２，・・・に嵌め込まれているため、開口部７１の左右の側縁部が補強フレーム２０により拘束され、左右方向に変形するのを規正する。
【００２０】
このように、本実施の形態においては、フロントケース７に大きな開口部７１を設け、中央部が抜けた形状とした場合でも、開口部７１の左右の側縁部の変形を抑制するため、フロントケース７の破損を防止することができる。
【００２１】
なお、上記実施形態においては、フロントケース７の背面から前面に貫通する嵌合穴７２を設けたが、フロントケース７の背面側から嵌合突起２１が嵌合可能であれば必ずしも貫通していなくてもよい。また、上記実施形態においては、フロントケース７側に嵌合突起２１を設け、補強フレーム２０側に嵌合穴７２を設けたが、フロントケース７側に嵌合穴を設け、補強フレーム２０側に嵌合突起を設けてもよい。
【００２２】
また、上記実施形態においては、キー操作部５を設けた本体２について説明したが、本発明はこれに限らず、蓋体３に本発明を適用することも可能である。例えば蓋体３のフロントケースに開口部を設け、表示部６を構成する透明パネル等を開口部に貼り付けた場合には、蓋体３のフロントケースの背面側に補強フレームを設け、フロントケースの開口部の周縁部と補強フレームの外周部との対向部分の一方に嵌合突起を設け、他方に嵌合突起が嵌合される嵌合穴を設け、両者を嵌合させればよい。これにより、蓋体３のフロントケースに大きな開口部を設けた場合でも、補強フレームによりフロントケースの破損を防止することができる。
【００２３】
以上の実施形態では、携帯電話機１を例に挙げて説明を行ったが、この他にも、ノート型パーソナルコンピュータ、ＰＤＡ（Personal Digital Assistance）、電子手帳、携帯型無線機、その他の携帯型の電子機器に本発明を適用してもよい。
【図面の簡単な説明】
【００２４】
【図１】本発明の実施形態に係る電子機器として携帯電話機１を示す斜視図である。
【図２】本体２の斜視図である。
【図３】本体２の分解斜視図である。
【図４】フロントケース７の背面を示す斜視図である。
【図５】図４のV部の拡大図である。
【図６】補強フレーム２０の前面を示す斜視図である。
【図７】図６のVII部の拡大図である。
【符号の説明】
【００２５】
１  携帯電話機（電子機器）
２  本体
３  蓋体
５  キー操作部
６  表示部
７  フロントケース
９  リアケース
２０  補強フレーム
２１  嵌合突起
７１  開口部
７２  嵌合穴
【図１】
2008283548.tif 000003
【図２】
2008283548.tif 000004
【図３】
2008283548.tif 000005
【図４】
2008283548.tif 000006
【図５】
2008283548.tif 000007
【図６】
2008283548.tif 000008
【図７】
2008283548.tif 000009